(57)【要約】【課題】自動開き角度を容易に変更できるチルトヒンジを提供する。【解決手段】便蓋１の回動基端側に固定されたカムケース６と、便座２の回動基端側に固定されたばねケース７と、両ケース６，７を連結するヒンジ軸８と、該ヒンジ軸８に挿通されてばねケース７内に軸心方向に移動可能に且つ回り止め状に収容されたスライダー９と、ばねケース７内に収容されスライダー９をカムケース側に押圧付勢するばね部材１０と、便蓋１が自動的に開き始める作用を働く自動開き角度を変更可能にした自動開き角可変機構２７とを備える。自動開き角可変機構２７は、カムケース６内のカム１３をヒンジ軸８まわりに回転可能に且つ所定回転位置でカムケース６に対し固定可能に備えて、カム１３の回転操作によりカムフォロア２０の山頂部２０ａに対するカム１３の山頂部１３ａの接触位置を変更させる。【選択図】図７
0003118163.tif 000002
【実用新案登録請求の範囲】
【請求項１】
相対的に開閉回動される第１の部材と第２の部材のうちの一方の部材に固定された有底筒状のカムケースと、このカムケースの開放端部内に、その開放端部が相対回動可能に嵌合されるように前記第１の部材と第２の部材のうちの他方の部材に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、前記カムケースの内底面の前記ヒンジ軸周りに配備され、径方向で対向する少なくとも一対の、断面台形の山形状で、平らな山頂面と、この山頂面の一端から前記カムケースの内底面に向かって所定の傾斜角度で下る自動開き作動用の傾斜面とを有するカムと、前記スライダーの先端における前記ヒンジ軸の周りに一体に形成され、前記カムケースの回動に伴い前記カムに対し摺接する平らな山頂面と、前記カムの傾斜面に倣う傾斜面を有する断面台形状のカムフォロアと、を備えており、
前記第１の部材または第２の部材の開き状態では、前記カムが、前記スライダーに作用する前記ばね部材のばね圧と、前記カムフォロアの傾斜面と接触する前記カムの傾斜面の傾斜角度とによって、前記第１の部材または第２の部材の自重による閉じ方向への回転トルクよりも大きい開き方向の回転トルクが発生するようにしてあるチルトヒンジにおいて、
前記第１の部材または第２の部材が自動的に開き始める作用を働く自動開き角度を変更可能にした自動開き角可変機構を備えていることを特徴とする、チルトヒンジ。
【請求項２】
前記自動開き角可変機構が、前記カムを前記ヒンジ軸まわりに回転可能に且つ所定回転位置で前記カムケースに対し固定可能に備えて、前記カムの回転操作により前記カムフォロアの山頂部に対する前記カムの山頂部の接触位置を変更させるようにしてなる、請求項１記載のチルトヒンジ。
【請求項３】
前記カムを前記ヒンジ軸まわりに回転させる手段が、前記カムケースの前記カム近傍箇所に、先端を前記カムに係合させて該カムを前記ヒンジ軸まわりに回転させる工具を抜差し可能とする操作口を開口してなる、請求項２記載のチルトヒンジ。
【請求項４】
前記カムを前記カムケースに対し固定させる手段が、前記カムと前記カムケースとを止めつける止めねじからなる、請求項２記載のチルトヒンジ。
【考案の詳細な説明】
【技術分野】
【０００１】
本考案は、洋式便器の便蓋・便座、ノート型パソコン、小型測定機器など開閉体の開閉回動機構に好適に用いられるチルトヒンジに関する。
【背景技術】
【０００２】
例えば、洋式便器の便座のチルトヒンジとして、先に同一出願人により以下のようなチルトヒンジを提案した（特許文献１参照。）。そこでは、便座の回動基端側に固定されたカムケースと、このカムケース内に相対回転可能に嵌合されるように洋式便器側に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、を備える。そして、前記カムケースの内底面の前記ヒンジ軸周りにはカムが一体に形成され、前記スライダーの先端における前記ヒンジ軸の周りに、前記カムケースの回転に伴い前記カムに対し摺接するカムフォロアが一体に形成され、前記便座の開き状態では、前記カムが、前記スライダーに作用する前記ばね部材のばね圧と、前記カムフォロアと接触する前記カムの傾斜面の傾斜角度とによって、前記便座の自重による閉じ方向への回転トルクよりも大きい開き方向の回転トルクが発生するようにしたものである。
【０００３】
このようなチルトヒンジによれば、便座の開き状態では、カムが、スライダーをカムケース側に押圧付勢するばね部材のばね圧と、スライダーのカムフォロアと接触するカムの傾斜面の傾斜角度とによって便座の自重による閉じ方向への回転トルクよりも大きい開き方向の回転トルクが発生するようにしてあるので、便座を手で持ち上げて開くときに要する操作力を軽減でき、また便座が開き状態で不用意に閉じ方向に倒れるようなことがなくてその開き状態を確保できる。したがって、とくに、介護用洋式便器に適用した場合は被介護者にとって使い勝手が良好であるという利点がある。
【０００４】
【特許文献１】実用新案登録第３１１３９６３号
【考案の開示】
【考案が解決しようとする課題】
【０００５】
しかるに、上記のようなチルトヒンジでは、便座が開き途上において自動的に開く作用を働く自動開き角度は初期において一定（例えば、開角３０°）に設定されたままであって、任意に自動開き角度を変更できるものが無かった為、洋式便器のサイズやユーザーのニーズに対応するには自動開き角度の異なる数種類のチルトヒンジを用意しておく必要があり、コスト高となり、在庫管理面においても不利であった。
【０００６】
本考案の目的は、このような問題を解決するためになされたもので、上記のような、カムケース、カム、ばねケース、ばね部材、スライダー、カムフォロアを備えるチルトヒンジにおいて、カムフォロアとの関係でカムの位相を変更・調整可能にすることにより自動開き角度を容易に変更できるチルトヒンジを提供することにある。
【課題を解決するための手段】
【０００７】
本考案は、相対的に開閉回動される第１の部材と第２の部材のうちの一方の部材に固定された有底筒状のカムケースと、このカムケースの開放端部内に、その開放端部が相対回動可能に嵌合されるように前記第１の部材と第２の部材のうちの他方の部材に固定された有底筒状のばねケースと、前記カムケースと前記ばねケースの同一回動軸心に貫通されて前記カムケースと前記ばねケースとを連結したヒンジ軸と、該ヒンジ軸に挿通されて前記ばねケース内に軸心方向に移動可能に且つ回り止め状に収容されたスライダーと、前記ばねケース内に収容され前記スライダーを前記カムケース側に押圧付勢するばね部材と、前記カムケースの内底面の前記ヒンジ軸周りに配備され、径方向で対向する少なくとも一対の、断面台形の山形状で、平らな山頂面と、この山頂面の一端から前記カムケースの内底面に向かって所定の傾斜角度で下る自動開き作動用の傾斜面とを有するカムと、前記スライダーの先端における前記ヒンジ軸の周りに一体に形成され、前記カムケースの回動に伴い前記カムに対し摺接する平らな山頂面と、前記カムの傾斜面に倣う傾斜面を有する断面台形状のカムフォロアと、を備えており、前記第１の部材または第２の部材の開き状態では、前記カムが、前記スライダーに作用する前記ばね部材のばね圧と、前記カムフォロアの傾斜面と接触する前記カムの傾斜面の傾斜角度とによって、前記第１の部材または第２の部材の自重による閉じ方向への回転トルクよりも大きい開き方向の回転トルクが発生するようにしてあるチルトヒンジにおいて、前記第１の部材または第２の部材が自動的に開き始める作用を働く自動開き角度を変更可能にした自動開き角可変機構を備えていることに特徴を有するものである。
【０００８】
ひとつの好適な実施態様として、本考案によるチルトヒンジは、前記自動開き角可変機構として、前記カムを前記ヒンジ軸まわりに回転可能に且つ所定回転位置で前記カムケースに対し固定可能に備えてなるものとすることができる。この場合、前記カムを前記ヒンジ軸まわりに回転させる手段としては、前記カムケースの前記カム近傍箇所に、先端を前記カムに係合させて該カムを前記ヒンジ軸まわりに回転させる工具を抜差し可能とする操作口を開口してなるものとすることができる。前記カムを前記カムケースに対し固定させる手段としては、前記カムと前記カムケースとを止めつける止めねじからなるものとすることができる。
【考案の効果】
【０００９】
上記構成のチルトヒンジによれば、第１の部材又は第２の部材の開き状態では、カムが、スライダーをカムケース側に押圧付勢するばね部材のばね圧と、カムフォロアの傾斜面と接触するカムの傾斜面の傾斜角度とによって第１の部材又は第２の部材の自重による閉じ方向への回転トルクよりも大きい開き方向の回転トルクが発生するようにしてあるので、第１の部材又は第２の部材を手で持ち上げて開くときに要する操作力を軽減でき、また第１の部材又は第２の部材が開き状態で不用意に閉じ方向に倒れるようなことがなくてその開き状態を確保できる。したがって、介護用洋式便器等に適用した場合は被介護者にとって使い勝手の良好なものである。
とくに、自動開き角可変機構により第１の部材又は第２の部材が自動的に開き始める作用を働く自動開き角度を任意角度に変更可能にしてあるので、ひとつのチルトヒンジで洋式便器等のサイズやユーザーのニーズに適切に対応することができ、製造コストの低減、在庫管理面においても有利となる。
【考案を実施するための最良の形態】
【００１０】
本考案の好適な実施形態を図面に基づき説明する。図１は本考案の一実施例を示すチルトヒンジを取付けた便蓋及び便座を全閉状態で示す洋式便器の斜面図、図２は同洋式便器の側面図、図３は同便蓋、便座及びチルトヒンジの分解斜視図、図４はチルトヒンジの分解斜視図、図５はチルトヒンジのカムケースの斜視図、図６の（ａ）はカムケースのカムを円周方向に切断して示す展開断面図、（ｂ）はカムフォロアを円周方向に切断して示す展開断面図、図７はチルトヒンジによる全開作動状態図、図８はチルトヒンジによる全閉作動状態図、図９はチルトヒンジによる開閉中間位置の作動状態図、図１０の（ａ）はチルトヒンジによる全閉作動状態時におけるカムとカムフォロアとの接触状態を示す展開断面図、（ｂ）はチルトヒンジによる開閉中間位置におけるカムとカムフォロアとの接触状態を示す展開断面図、（ｃ）はチルトヒンジによる全開作動状態時におけるカムとカムフォロアとの接触状態を示す展開断面図、図１１はチルトヒンジのカムケース及びカムの一部断面図である。
【００１１】
図１〜図３は本考案の実施形態を示しており、この実施形態では、第１の部材を構成する洋式便器３の上面に対し、第２の部材を構成する便蓋１および便座２が、チルトヒンジＨを介して、図２（ａ）に仮想線で示すごとく垂直もしくは垂直に近い姿勢に開く開き状態と、図１、図２に実線状態で示すように洋式便器３の上面に水平もしくは水平に近い姿勢に閉じる閉じ状態とにわたって回動し、また便蓋１が、前記チルトヒンジＨとは別のチルトヒンジＨを介して、水平もしくは水平に近い姿勢の便座２の上面に対し図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにしたものである。
【００１２】
まず、第２の部材を構成する便座２が便蓋１ごと図２（ａ）に仮想線で示すように第１の部材である水平な洋式便器３の上面に対し垂直もしくは垂直に近い姿勢に開く開き状態と、図２（ａ）に実線で示すように洋式便器３の上面に水平もしくは水平に近い姿勢に閉じる閉じ状態とにわたって回動するようにした場合のチルトヒンジＨの実施例について以下に説明する。
【００１３】
図１、図３に示すように、洋式便器３はこれの上面の後部に便座２を取付けるための左右一対の取付突起４，４を上向きに突設している。一方、便座２は洋式便器３の上面を覆い得る大きさの平面視で馬蹄形状に形成され、この便座２の後方の回動基端側には、洋式便器３の取付突起４，４に対応する左右一対のボス５，５（図３では一方のボス５のみを示す）が一体に備えられる。この便座２の一方のボス５と洋式便器３の一方の取付突起４間にチルトヒンジＨが組込まれる。便座２のもう一方のボス５と洋式便器３のもう一方の取付突起４間には、通常の継手ピンによるヒンジ（図示せず）が組込まれる。
【００１４】
上記チルトヒンジＨは、図３、図４に示すように、便座２のボス５に固定される有底筒状のカムケース６と、このカムケース６の開放端部６ａ内に、その開放端部７ａが相対回転可能に嵌合されるように洋式便器３の取付突起４に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０と、便座２が便蓋１ごと自動的に開き始める作用を働く自動開き角度を変更可能にした自動開き角可変機構２７(図１１参照)とを備える。
【００１５】
図３、図４に示すように、カムケース６はこれの外周に複数個のキー状の突起１１を軸心方向に設け、便座２のボス５の内周に突起１１が嵌まる溝１２をつけ、カムケース６をボス５に嵌合することによりカムケース６が便座２の回動基端側に固定される。
このカムケース６の内底面６ｂのヒンジ軸８周りには、図６（ａ）、図１１に示すように、径方向で対向する少なくとも一対の、断面台形の山形状で、平らな山頂面１３ａと、この山頂面１３ａの一端からカムケース６の内底面６ｂに向かって比較的緩やかな勾配で下る傾斜面１３ｂと、この傾斜面１３ｂに連続して該傾斜面１３ｂよりも急勾配で内底面６ｂに向かって下る自動開き作動用の傾斜面１３ｃと、山頂面１３ａの他端から内底面６ｂに向かって直角に下るストッパー壁面１３ｄとを有するカム１３が配備されている。
【００１６】
図３、図４に示すように、ばねケース７はこれの外周に複数個のキー状の突起１５を軸心方向に設け、洋式便器３の一方の取付突起４の先端部に設けた横孔１６の内周に突起１５が嵌まる溝１７をつけ、ばねケース７を横孔１６に挿入嵌合することによりばねケース７が洋式便器３の取付突起４に固定される。そして、便座２は洋式便器３の上に重ねられるとともに、カムケース６の開放端部６ａ内に、ばねケース７の開放端部７ａが相対回転可能に嵌合される。図４に示すように、ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００１７】
スライダー９の先端におけるヒンジ軸８の周りには、図４、図６（ｂ）に示すように、カムケース６の回転に伴いカム１３に対し摺接するカムフォロア２０，２０が一体に形成されている。カムフォロア２０は、カム１３の山頂面１３ａの距離Ｓ１より短い距離Ｓ２をもつ平らな山頂面２０ａと、カム１３の傾斜面１３ｂ、傾斜面１３ｃ、ストッパー壁面１３ｄにそれぞれ倣う傾斜面２０ｂ、傾斜面２０ｃ、ストッパー壁面２０ｄを有する断面台形状に形成されている。
カム１３の自動開き作動用の傾斜面１３ｃの傾斜角度（カムケース６の平らな内底面６ｂと成す角度）は、便座２の開き状態で、図７、図１０（ｃ）に示すように、カムフォロア２０の傾斜面２０ｃと接触し、スライダー９に作用するばね部材１０のばね圧Ｗを伴って便蓋１と便座２の自重による閉じ方向への回転トルクよりも大きい開き方向Ｘの回転力が発生する角度に設定している。
【００１８】
自動開き角可変機構２７は、図１１に示すように、カム１３をヒンジ軸８まわりに回転可能に且つ所定回転位置でカムケース６に対し固定可能に備えてなる。
カム１３をヒンジ軸８まわりに回転可能にする手段としては、図５、図１１に示すように、カムケース６のカム１３近傍箇所に操作口２８を周方向に開口し、この操作口２８に六角レンチ等工具２９を差込み、該工具２９の先端をカム１３の外周の凹部３０に係合させ、該工具２９を操作口２８内に沿って移動させることで該カム１３を所定位置にまで回転させるようにしてある。その所定位置とは、図１０（ａ）において、カム１３の山頂部１３ａの距離Ｓ１がカム位相の変更・調整可能な範囲で、初期設定においてこのカムの山頂部１３ａのいずれの箇所をカムフォロア２０の山頂部２０ａに接触させておくかによって自動開き角を任意に変更できる。洋式便器のサイズやユーザーのニーズに適切に対応させるために、たとえば、自動開き角可変範囲を開角１０°〜４０°の範囲とした場合、その範囲内の最小の開角１０°から自動的に開くように設定するには、山頂部１３ａの緩やかな傾斜面１３ｂ寄りの一端部位がカムフォロア２０の山頂部２０ａに接触するように（図１０（ａ）中の実線で示す状態を参照）設定し、最大の開角４０°から自動的に開くように設定するには、山頂部１３ａのストッパー壁面１３ｄ寄りの他端部位がカムフォロア２０の山頂部２０ａに接触するように（図１０（ａ）中の仮想線Ｍで示す状態を参照）設定し、その中間の開角（例えば、３０°）で自動的に開くように設定するには山頂部１３ａの前記一端部位と前記他端部位の中間部位がカムフォロア２０の山頂部２０ａに接触するように設定する。
【００１９】
カム１３を所定の回転位置に固定する手段としては、図１１に示すように、カムケース６の底部にヒンジ軸８を中心とする円弧状のねじ装入孔３１を１個もしくは２個以上開口し、このねじ装入孔３１内の段部３１ａに座る頭部３２ａを付けた止めねじ３２をカム１３の背面側の雌ねじ３３にねじ込むことによりカムケース６の内底面６ｂに対し固定するようにしている。
【００２０】
次に、上記構成のチルトヒンジＨの作動について図７〜図９、図１０（ａ）〜（ｃ）を参照して説明する。
【００２１】
図２（ａ）中、仮想線では、便座２が便蓋１ごと開角９０度を少し越えて後方へ少し傾いた開き状態を示している。この開き状態では、図７、図１０（ｃ）に示すように、ばねケース７は固定状態にあり、カム１３は、スライダー９に作用するばね部材１０のばね圧Ｗと、スライダー９のカムフォロア２０の傾斜面２０ｃと接触しているカム１３の傾斜面１３ｃの傾斜角度とにより開き方向Ｘの回転力が発生している。その開き方向Ｘの回転力は任意の角度(カム１３の傾斜面１３ｃとカムフォロア２０の傾斜面２０ｃとが接触している間)で働き、自由に角度設定ができる。全開状態時ではストッパー壁面１３ｄとカムフォロア２０のストッパー壁面２０ｄとが接触することにより最大開角を規制する。この便座２の最大開角の規制手段としては、図４、図７に示すように、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００２２】
この開き状態から便座２を便蓋１ごと閉じる方向にヒンジ軸８回りに手動で回動させて行くと、図９、図１０（ｂ）に示すように、一旦、カム１３の緩やかな傾斜面１３ｂがカムフォロア２０の緩やかな傾斜面２０ｂに乗り上げる。更に、便座２を閉じ方向に手動で回動させて行くと、図８、図１０（ａ）に示すように、カム１３は、平らな山頂面１３ａがスライダー９の山頂面２０ａに乗り上げ、便座２が便蓋１ごと洋式便器３上に閉じ合わされる。
【００２３】
便座２を閉じ状態から手で持ち上げて便蓋１ごと開き状態に戻す時には、カム１３は、一旦、緩やかな傾斜面１３ｂがカムフォロア２０の緩やかな傾斜面２０ｂと面接触してから、傾斜面１３ｃがカムフォロア２０の傾斜面２０ｃに接触し始める。この接触により、カム１３が、スライダー９に作用するばね部材１０によるばね圧Ｗと、カムフォロア２０の傾斜面２０ｃと接触するカム１３の傾斜面１３ｃの傾斜角度とにより便座２の自重による閉じ方向への回転トルクよりも大きい開き方向Ｘの回転トルクが発生するようにしてあるため、この回転トルクの作用により、軽い操作力で便座２を全開状態に容易に戻すことができるし、また便座２が不用意に閉じ方向に倒れるようなことがなくてその開き状態を確保できる。このように便座２を便蓋１ごと開くときに、大きな操作力を必要としないようにしてあるため、介護用洋式便器に適用しても被介護者などの負担を軽減できる。
【００２４】
その際、便座２が自動的に開き始める自動開き角度が小さ過ぎたり、あるいは大き過ぎたりしてユーザーの好みに合わない場合は、その自動開き角度を任意に変更することができる。便座２の自動開き角度は、上述のとおり、図１０（ａ）の便座２の全閉状態時におけるカム１３の山頂部１３ａの、カムフォロア２０の山頂部２０ａとの接触位置の設定を変更することにより変更させることができる。その変更に際しては、止めねじ３２によるカム１３の固定状態を解除したうえで、図１１のように、カムケース６の操作口２８に六角レンチ等工具２９を差込み、工具２９の先端をカム１３の外周の凹部３０に係合させ、工具２９を操作口２８内に沿って移動させることで該カム１３を回転させることにより、図１０（ａ）の便座２の全閉状態時におけるカムフォロア２０の山頂部２０ａに対するカム１３の山頂部１３ａの接触位置を変更させることができ、この変更により便座２の自動開き角度を変更させることができる。
変更後は、止めねじ３２の締め込みによりカム１３をカムケース６に固定する。このカム１３の固定手段としては、その他に、例えば、図１２に示すように、カムケース６の周壁一部に設けた雌ねじ３４に止めねじ３５をねじ込み、この止めねじ３５の先端でカム１３の外周面一部を押し付けるようにすることもできる。
【００２５】
次に、第１の部材を構成する、洋式便器３上に閉じた水平もしくは水平に近い状態の便座２の上面に対して、第２の部材を構成する便蓋１が、図２（ｂ）に仮想線で示すごとく垂直もしくは垂直に近い姿勢に開く開き状態と、図２（ｂ）に実線で示すように便座２の上面に水平もしくは水平に近い姿勢に閉じる閉じ状態とにわたって回動するようにした場合のチルトヒンジＨの実施例について以下に説明する。
【００２６】
便蓋１は、図１、図３に示すように、洋式便器３及び便座２の上面全体を覆い得る大きさの平面視において馬蹄形状の盲壁に形成される。便蓋１の後方の回動基端側には、便座２の一方のボス５に対応するボス２６が一体に備えられる。この便蓋１の一方のボス２６と便座２の一方のボス５間にチルトヒンジＨが組込まれる。便蓋１のもう一方のボス２６と便座２のもう一方のボス５間には、通常の継手ピンによるヒンジ(図示せず)が組込まれる。
【００２７】
この場合のチルトヒンジＨそれ自体は、上記実施例のチルトヒンジＨと同一構造に構成されるものであって、便蓋１のボス２６に固定される有底筒状のカムケース６と、このカムケース６の開放端部６ａ内に、その開放端部７ａが相対回転可能に嵌合されるように便座２のボス５に固定される有底筒状のばねケース７と、カムケース６とばねケース７の同一回動軸心に貫通されて両ケース６，７を連結したヒンジ軸８と、該ヒンジ軸８に挿通されてばねケース７内に軸心方向に移動可能に且つ回り止め状に収容されるスライダー９と、ばねケース７内に収容されスライダー９をカムケース６側に押圧付勢する圧縮コイルばね等によるばね部材１０と、便蓋１が自動的に開き始める作用を働く自動開き角度を変更可能にした自動開き角可変機構２７と、を備える。
【００２８】
上記実施例でも説明したとおり、カムケース６はこれの外周に複数個のキー状の突起１１を軸心方向に設け、便蓋１のボス２６の内周に突起１１が嵌まる溝（図示せず）をつけ、カムケース６をボス２６に嵌合することによりカムケース６が便蓋１の回動基端側に固定される。このカムケース６の内底面６ｂのヒンジ軸８周りには、図６（ａ）、図１１に示すように、径方向で対向する少なくとも一対の、全体が断面台形の山形状で、平らな山頂面１３ａと、この山頂面１３ａの一端から内底面６ｂに向かって比較的緩やかな勾配で下る傾斜面１３ｂと、この傾斜面１３ｂに連続して該傾斜面１３ｂよりも急勾配で内底面６ｂに向かって下る自動開き作動用の傾斜面１３ｃと、山頂面１３ａの他端から内底面６ｂに向かって直角に下るストッパー壁面１３ｄとを有するカム１３が配備されている。
【００２９】
また、上記実施例でも説明したとおり、ばねケース７はこれの外周に複数個のキー状の突起１５を軸心方向に設け、便座２の回動基端側に一体に突設したボス５の内周に突起１５が嵌まる溝１２をつけ、ばねケース７をボス５内の上記実施例のカムケース６の軸方向外方に並ぶよう該ボス５内に嵌合することによりばねケース７が便座２の回動基端側に固定される。そして、便蓋１は便座２の上に重ねられるとともに、カムケース６の開放端部６ａ内に、ばねケース７の開放端部７ａが相対回転可能に嵌合される。ばねケース７の開放端部７ａには一対の切欠１８，１８が径方向に対向するよう設けられ、スライダー９の先端部の外周に切欠１８，１８に嵌まる回り止め突起１９，１９が設けられ、スライダー９は回り止め突起１９を切欠１８に嵌め込むことによりばねケース７の開放端部７ａ内に軸心方向に移動可能に且つ回り止め状に収容される。
【００３０】
スライダー９の先端におけるヒンジ軸８の周りには、これ又、上記実施例で説明した通り、図４、図６（ｂ）に示すように、カムケース６の回転に伴いカム１３に対し摺接するカムフォロア２０，２０が一体に形成されている。カムフォロア２０は、平らな山頂面２０ａと、カム１３の傾斜面１３ｂ、傾斜面１３ｃ、ストッパー壁面１３ｄに倣う傾斜面２０ｂ、傾斜面２０ｃ、ストッパー壁面２０ｄを有する断面台形状に形成されている。
カム１３の傾斜面１３ｃの傾斜角度（平らな内底面６ｂと成す角度）は、便蓋１の開き状態で、図７、図１０（ｃ）に示すように、カムフォロア２０の傾斜面２０ｃと接触し、スライダー９に作用するばね部材１０のばね圧Ｗを伴って便蓋１の自重による閉じ方向への回転トルクよりも大きい開き方向Ｘの回転力が発生する角度に設定している。
【００３１】
ばね圧調整手段２７は、上記実施例の自動開き角可変機構２７と同様の自動開き角可変機構２７を採用する。
【００３２】
次に、上記便蓋１のボス２６と便座２のボス５間のチルトヒンジＨの作動について図７〜図９、図１０（ａ）〜（ｃ）を参照して説明する。
図２（ａ）は便蓋１が開角９０度を少し越えて後方へ少し傾いた開き状態を示している。この開き状態では、図７、図１０（ｃ）に示すように、ばねケース７は固定状態にあり、カム１３はばね部材１０のばね圧と、スライダー９のカムフォロア２０の傾斜面２０ｃと接触しているカム１３の傾斜面１３ｃの傾斜角度とにより開き方向Ｘの回転力が発生している。その開き方向の回転力は任意の角度(カム１３の傾斜面１３ｃとカムフォロア２０の傾斜面２０ｃとが接触している間)で働き、自由に角度設定ができる。開き状態時ではストッパー壁面１３ｄとカムフォロア２０のストッパー壁面２０ｄとが接触することにより最大開角を規制する。この便座２の最大開角の規制手段としては、ばねケース７の開放端部７ａにストッパー突起２１を設け、カムケース６の開放端部６ａに設けた切欠２２内の一端部２２ａをストッパー突起２１に係合させ、この係合により便座２の最大開角を規制することもできる。
【００３３】
この開き状態から便蓋１を閉じる方向にヒンジ軸８回りに手動で回動させて行くと、図９、図１０（ｂ）に示すように、一旦、カム１３の緩やかな傾斜面１３ｂがカムフォロア２０の緩やかな傾斜面２０ｂに乗り上げる。更に、便蓋１を閉じ方向に手動で回動させて行くと、図８、図１０（ａ）に示すように、カム１３は、平らな山頂面１３ａがスライダー９の山頂面２０ａに乗り上げ、便蓋１が便座２上に閉じ合わされる。
【００３４】
便蓋１を閉じ状態から手で持ち上げて開き状態に戻す時には、カム１３は、一旦、緩やかな傾斜面１３ｂがカムフォロア２０の緩やかな傾斜面２０ｂと面接触してから、傾斜面１３ｃがカムフォロア２０の傾斜面２０ｃに接触し始める。この接触により、カム１３が、スライダー９に作用するばね部材１０によるばね圧Ｗと、カムフォロア２０の傾斜面２０ｃと接触するカム１３の傾斜面１３ｃの傾斜角度とにより便蓋１の自重による閉じ方向への回転トルクよりも大きい開き方向Ｘの回転トルクが発生するようにしてあるため、この回転トルクの作用により、軽い操作力で便蓋１を全開状態に容易に戻すことができるし、また便蓋１が不用意に閉じ方向に倒れるようなことがなくてその開き状態を確保できる。このように便蓋１を開くときも、上記実施例の便座２の場合と同様に、大きな操作力を必要としないようにしてあるため、介護用洋式便器に適用しても被介護者などの負担を軽減できる。
その際、便蓋１が自動的に開き始める自動開き角度が小さ過ぎたり、あるいは大き過ぎたりしてユーザーの好みに合わない場合は、上述した便座２の自動開き角度の変更操作要領と同じ要領で、便蓋１の自動開き角度を好みに合うように変更することができる。
【００３５】
上記実施例では、便座２の一方のボス５と洋式便器３の一方の取付突起４間にチルトヒンジＨが組込まれ、便座２のもう一方のボス５と洋式便器３のもう一方の取付突起４間には、通常の継手ピンによるヒンジが組込まれるが、便座２の両方のボス５，５と洋式便器３の両方の取付突起４，４間にそれぞれ上記チルトヒンジＨを組込むこともできる。同様に、便蓋１の一方のボス２６と便座２の一方のボス５間にチルトヒンジＨを組込み、便蓋１のもう一方のボス２６と便座２のもう一方のボス５間には、通常の継手ピンによるヒンジを組込むという上記実施例に代えて、便蓋１に左右一対のボス２６，２６を設け、この両方のボス２６，２６と便座２の両方のボス５，５間にそれぞれ上記チルトヒンジＨを組込むこともできる。
【００３６】
本考案のチルトヒンジは、洋式便器の便蓋や便座以外に、第１の部材を構成するキーボード本体と第２の部材であるディスプレイ装置からなるノート型パソコン、その他に小型測定機器等の開閉体の開閉用ヒンジとしても同様に適用できる。
【図面の簡単な説明】
【００３７】
【図１】本考案の一実施例を示すチルトヒンジにより取付けられた便蓋及び便座を全閉状態で示す洋式便器の斜面図である。
【図２】同洋式便器の側面図である。
【図３】同便蓋、便座及びチルトヒンジの分解斜視図である。
【図４】チルトヒンジの分解斜視図である。
【図５】チルトヒンジのカムケースの斜視図である。
【図６】（ａ）はカムを円周方向に切断して示す展開断面図、（ｂ）はカムフォロアを円周方向に切断して示す展開断面図である。
【図７】チルトヒンジによる全開作動状態図である。
【図８】チルトヒンジによる全閉作動状態図である。
【図９】チルトヒンジによる開閉中間位置の作動状態図である。
【図１０】（ａ）はチルトヒンジによる全閉作動状態時におけるカムとカムフォロアとの接触状態を示す展開断面図、（ｂ）はチルトヒンジによる開閉中間位置におけるカムとカムフォロアとの接触状態を示す展開断面図、（ｃ）はチルトヒンジによる全開作動状態時におけるカムとカムフォロアとの接触状態を示す展開断面図である。
【図１１】チルトヒンジのカムケース及びカムの一部断面図である。
【図１２】チルトヒンジのカム固定手段の他の実施例を図１１に相応して示す断面図である。
【符号の説明】
【００３８】
Ｈ  チルトヒンジ
１  便蓋
２  便座
３  洋式便器
６  カムケース
６ａ  開放端部
６ｂ  内底面
７  ばねケース
７ａ  開放端部
８  ヒンジ軸
９  スライダー
１０  ばね部材
１３  カム
１３ａ  山頂面
１３ｃ  傾斜面
２０  カムフォロア
２０ａ  山頂面
２０ｃ  傾斜面
２７  自動開き角可変機構
２８  操作口
２９  工具
３１  ねじ装入孔
３２，３５  止めねじ
【図１】
0003118163.tif 000003
【図２】
0003118163.tif 000004
【図３】
0003118163.tif 000005
【図４】
0003118163.tif 000006
【図５】
0003118163.tif 000007
【図６】
0003118163.tif 000008
【図７】
0003118163.tif 000009
【図８】
0003118163.tif 000010
【図９】
0003118163.tif 000011
【図１０】
0003118163.tif 000012
【図１１】
0003118163.tif 000013
【図１２】
0003118163.tif 000014